(57)【特許請求の範囲】
【請求項１】
ビル設備に関連した計量パルスカウンタ値を生成するデータ計測部と、
前記計量パルスカウンタ値をデータ処理して異常判定するためのＣＰＵ部と、
前記ＣＰＵ部への給電をオフして前記ＣＰＵ部の保守作業を行うための保守用ツールと
を備えたビル管理システムの計量パルスカウンタ値異常判定装置であって、
前記ＣＰＵ部は、
前記計量パルスカウンタ値を受信するカウンタデータ受信部と、
前記計量パルスカウンタ値をサンプリングしたサンプリング日時を格納するサンプリング日時格納部と、
前記計量パルスカウンタ値の前回値と今回値とのカウンタ差分値を格納するカウンタ差分値格納部と、
前記サンプリング日時の前回値と今回値とのサンプリング日時差分値を格納するサンプリング日時差分値格納部と、
単位時間当りのカウンタ基準値を格納する単位時間当りのカウンタ基準値格納部と、
前記サンプリング日時差分値と前記単位時間当りのカウンタ基準値との乗算により算出された基準カウンタ値を格納する基準カウンタ値格納部と、
前記カウンタ差分値が前記基準カウンタ値よりも大きい場合に異常と判定するカウンタデータ比較部と
を含むことを特徴とするビル管理システムの計量パルスカウンタ値異常判定装置。
【請求項２】
前記ＣＰＵ部は、時間帯別の複数のカウンタ基準値を格納する時間帯別のカウンタ基準値格納部を含み、
前記単位時間当りのカウンタ基準値格納部は、現在の時間帯に応じて前記複数のカウンタ基準値のうちの１つを選択し、前記単位時間当りのカウンタ基準値として設定することを特徴とする請求項１に記載のビル管理システムの計量パルスカウンタ値異常判定装置。
【請求項３】
前記ＣＰＵ部は、前記サンプリング日時差分値が０か否かを判定するサンプリング日時差分値判定処理部を含み、
前記サンプリング日時差分値判定処理部は、
前記サンプリング日時差分値が０でない場合には、前記サンプリング日時差分値格納部を有効とし、
前記サンプリング日時差分値が０を示す場合には、前記サンプリング日時差分値格納部を無効として、前記基準カウンタ値を所定値に固定することを特徴とする請求項１または請求項２に記載のビル管理システムの計量パルスカウンタ値異常判定装置。
【発明の詳細な説明】
【０００１】
【発明の属する技術分野】
この発明は、時間比例方式を用いたビル管理システムの計量パルスカウンタ値異常判定装置に関し、特にノイズを含む異常パルスカウンタ値を検出するとともに、保守などによるコントローラ停止から復旧した際に大きなパルスカウンタ値が転送されてきても異常と誤判定することのないビル管理システムの計量パルスカウンタ値異常判定装置に関するものである。
【０００２】
【従来の技術】
図４は、たとえば特開２００１−２４３５８５号公報に記載された、ビル管理システムに適用される従来の計量パルスカウンタ値異常判定装置を各処理要素毎に示すブロック図である。
【０００３】
図４において、１はデータ計測部であり、ビル設備に関連した計量対象（データ）を計測して計量パルスカウンタ値を生成する。
２はデータ計測部１に接続されたカウンタデータ受信部、３は前回サンプリングされたカウンタ値を格納する前回カウンタ値格納部、４は内部カウンタ値（後述する）を格納する内部カウンタ値格納部、５は内部カウンタ値格納部４に接続されたデータ集計部、５はあらかじめ設定された差分上限値（固定基準値）を格納する差分上限値格納部である。
【０００４】
６はカウンタデータ比較部であり、カウンタデータ受信部２、前回カウンタ値格納部３および差分上限値格納部５に接続されている。７はカウンタデータ比較部６と内部カウンタ値格納部４との間に挿入された内部カウンタ値更新部である。
上記処理要素１〜８は、同一のＣＰＵユニット（図示せず）に搭載されているものとする。
【０００５】
データ計測部１は、電力量計（後述する）などからの検出データ（パルス）を積算して計測し、カウンタデータ受信部２は、データ計測部１で積算されたカウンタデータを受信して、カウンタデータ比較部６に入力する。
【０００６】
前回カウンタ値格納部３は、カウンタデータ比較部６での比較演算に用いられる前回カウンタ値を格納する。
内部カウンタ値格納部４は、データ受信部２により今回サンプリングされた今回カウンタ値と前回カウンタ値との差分（カウンタデータ比較部６による比較演算結果）の累積値を内部カウンタ値として格納する。
【０００７】
差分上限値格納部５は、カウンタデータ比較部６における比較演算用の基準値となる差分上限値を格納する。
カウンタデータ比較部６は、前回カウンタ値格納部３内の前回カウンタ値と、データ受信部２からの今回カウンタ値との差分を求め、この差分値を差分上限値格納部５内の差分上限値と比較演算する。
【０００８】
内部カウンタ値更新部７は、カウンタデータ比較部６で求められた差分値を、内部カウンタ値格納部４に入力し、内部カウンタ値として累積加算していく。
データ集計部８は、内部カウンタ値格納部４内のデータ（内部カウンタ値）を一定周期毎に集計し、たとえばビル設備の電力消費量などの履歴データ値として外部に出力する。
【０００９】
図５は、図４内の各処理要素１〜８を動作させるためのシステム全体を示すブロック図であり、前述（図４参照）と同様のものについては、同一符号を付して詳述を省略する。
【００１０】
図５において、９はデータ計測部１を含むカウンタ部、１０はデータ計測部１以外の処理要素２〜８を含むＣＰＵ部、１１はカウンタ部９を駆動する直流電源、１２はＣＰＵ部１０を駆動する直流電源、１３はＣＰＵ部１０に接続された保守用ツールである。
【００１１】
図５においては、データ計測部１が搭載されているカウンタ部９と、各処理要素２〜８が搭載されているＣＰＵ部１０とが、互いに独立して動作するシステムとして示されている。
【００１２】
直流電源１１はカウンタ部９に対する給電を行い、他の直流電源１２はＣＰＵ部１０に対する給電を行い、保守用ツール１３はＣＰＵ部１０のプログラム書き換えなどに使用される。
【００１３】
図６は、図４内の各処理要素１〜８を動作させるための他の従来装置を示すブロック図であり、前述（図４、図５参照）と同様のものについては、同一符号を付して詳述を省略する。
【００１４】
図６において、１４はデータ計測部１を含む電力量計、１５は電力量計１４とＣＰＵ部１０とを接続する伝送線である。
図６においては、データ計測部１が搭載されて負荷の電力量を積算する電力量計１４と、各処理要素２〜８が搭載されているＣＰＵ部１０とが、互いに独立して動作するとともに、両者が伝送線１５を介して接続されたシステムとして示されている。
【００１５】
次に、図４に示した従来のビル管理システムの計量パルスカウンタ値異常判定装置の動作について説明する。
まず、カウンタデータ受信部２は、データ計測部１で計測されたカウンタデータを受信する。
【００１６】
続いて、前回カウンタ値格納部３は、前回受信されたデータを前回カウンタ値として保存し、内部カウンタ値格納部４は、内部カウンタデータ値を格納する。
また、差分上限値データ格納部５は、カウンタデータ受信部２からの入力データが異常データであるか否かを判定するための差分上限値データをカウンタデータ比較部６に入力する。
【００１７】
カウンタデータ比較部６は、受信された今回カウンタデータと前回カウンタデータとを比較演算し、さらに、その比較結果（差分値）を差分上限値データと比較する。
【００１８】
カウンタデータ比較部６は、上記差分値が差分上限値以内と判定されれば、今回データが正常データであると判定し、今回カウンタデータを前回カウンタデータとして、前回カウンタ値格納部３に更新して格納する。
【００１９】
また、内部カウンタ値更新部７は、正常と判定された今回カウンタデータを内部カウンタ値格納部４内に加算して格納し、データ集計部８は、内部カウンタ値格納部４内の内部カウンタデータを一定周期毎に読み出してデータ集計する。
【００２０】
一方、ノイズパルスの重畳などにより、カウンタデータ差分値が差分上限値よりも大きい値を示せば、カウンタデータ比較部６は、今回データが異常データであると判定し、異常警報表示など（図示せず）を駆動し、オペレータに対して異常データ発生を報知する。
【００２１】
しかしながら、たとえば図５のように、カウンタ部９とＣＰＵ部１０とが独立して動作するシステムの場合、ＣＰＵ部１０の直流電源１２がＯＦＦされる状況や、プログラム入れ替え作業などの保守時において保守ツール１３によりＣＰＵ部１０を停止させる状況が発生する。
【００２２】
このような状況においては、ＣＰＵ部１０が停止しているのもかかわらず、カウンタ部９が計量値のパルスカウントを継続し続けることになる。
このとき、ＣＰＵ部１０の停止時間が長くなると、その間にカウンタ部９でカウントされる計量パルスカウンタ値も大きくなる。
【００２３】
上記の状況下でＣＰＵ部１０が動作を再開すると、再開時点までにカウンタ部９がカウントした計量パルスカウンタ値が、ＣＰＵ部１０に格納されている差分上限値データ以上の数値となるおそれがある。
【００２４】
このように、カウンタ部９の計量パルスカウンタ値が差分上限値データ以上になった場合には、計量パルスカウンタ値が正常であるにもかかわらず、異常と誤判定されてしまうことになる。
【００２５】
同様に、図６のように電力量計１４とＣＰＵ部１０とが伝送線１５を介して接続されて独立動作するシステムの場合も、上記のような誤判定が発生するおそれがあり得る。
【００２６】
【発明が解決しようとする課題】
従来のビル管理システムの計量パルスカウンタ値異常判定装置は以上のように、前回カウンタ値と今回カウンタ値との差分値を差分上限値と単純に比較演算していたので、たとえば図５に示すシステムの場合には、ＣＰＵ部１０の停止時間が長くなってカウンタ部９の計量値パルスカウンタの格納値が増大すると、ＣＰＵ部１０の処理再開時に、計量パルスカウンタ値が正常であるにもかかわらず、異常と誤判定してしまうという問題点があった。
【００２７】
この発明は上記のような問題点を解決するためになされたもので、ＣＰＵ部の長時間停止中にデータ計測部によるカウンタ値が増大しても、異常と誤判定することのないビル管理システムの計量パルスカウンタ値異常判定装置を得ることを目的とする。
【００２８】
【課題を解決するための手段】
この発明に係るビル管理システムの計量パルスカウンタ値異常判定装置は、ビル設備に関連した計量パルスカウンタ値を生成するデータ計測部と、計量パルスカウンタ値をデータ処理して異常判定するためのＣＰＵ部と、ＣＰＵ部への給電をオフしてＣＰＵ部の保守作業を行うための保守用ツールとを備えたビル管理システムの計量パルスカウンタ値異常判定装置であって、ＣＰＵ部は、計量パルスカウンタ値を受信するカウンタデータ受信部と、計量パルスカウンタ値をサンプリングしたサンプリング日時を格納するサンプリング日時格納部と、計量パルスカウンタ値の前回値と今回値とのカウンタ差分値を格納するカウンタ差分値格納部と、サンプリング日時の前回値と今回値とのサンプリング日時差分値を格納するサンプリング日時差分値格納部と、単位時間当りのカウンタ基準値を格納する単位時間当りのカウンタ基準値格納部と、サンプリング日時差分値と単位時間当りのカウンタ基準値との乗算により算出された基準カウンタ値を格納する基準カウンタ値格納部と、カウンタ差分値が基準カウンタ値よりも大きい場合に異常と判定するカウンタデータ比較部とを含むものである。
【００２９】
また、この発明に係るビル管理システムの計量パルスカウンタ値異常判定装置によるＣＰＵ部は、時間帯別の複数のカウンタ基準値を格納する時間帯別のカウンタ基準値格納部を含み、単位時間当りのカウンタ基準値格納部は、現在の時間帯に応じて複数のカウンタ基準値のうちの１つを選択し、単位時間当りのカウンタ基準値として設定するものである。
【００３０】
また、この発明に係るビル管理システムの計量パルスカウンタ値異常判定装置によるＣＰＵ部は、サンプリング日時差分値が０か否かを判定するサンプリング日時差分値判定処理部を含み、サンプリング日時差分値判定処理部は、サンプリング日時差分値が０でない場合には、サンプリング日時差分値格納部を有効とし、サンプリング日時差分値が０を示す場合には、サンプリング日時差分値格納部を無効として、基準カウンタ値を所定値に固定するものである。
【００３１】
【発明の実施の形態】
実施の形態１．
以下、図面を参照しながら、この発明の実施の形態１について詳細に説明する。
【００３２】
図１はこの発明の実施の形態１を示すブロック図であり、前述（図４、図５参照）と同様のものについては、同一符号を付して、または、符号の後に「Ａ」を付して詳述を省略する。
【００３３】
図１において、１６は現在日時を格納する現在日時格納部である。
１７はカウンタデータ受信部２Ａと一体のサンプリング日時格納部であり、現在日時格納部１６に接続されている。
１８は前回カウンタ値格納部３Ａと一体の前回サンプリング日時格納部であり、サンプリング日時格納部４に関連している。
【００３４】
１９はカウンタ差分値格納部であり、カウンタデータ受信部２Ａおよび前回カウンタ値格納部３Ａと、カウンタデータ比較部６Ａとの間に挿入されている。
２０はカウンタ差分値格納部１９と一体のサンプリング日時差分格納部、２１はサンプリング日時差分格納部２０に関連した単位時間当りのカウンタ基準値格納部である。
【００３５】
２２は基準カウンタ値格納部であり、サンプリング日時差分格納部２０および単位時間当りのカウンタ基準値格納部２１とカウンタデータ比較部６Ａとの間に挿入されている。
２３は内部カウンタ累積値格納部であり、カウンタデータ比較部６Ａとデータ集計部８Ａとの間に挿入されている。
【００３６】
上記処理要素１６〜２３は、カウンタデータ受信部２Ａ、前回カウンタ値格納部３Ａ、カウンタデータ比較部６Ａおよびデータ集計部８Ａとともに、ＣＰＵ部１０Ａ内に構成されている。
【００３７】
現在日時格納部１６は、ＣＰＵ部１０Ａが保持している現在時刻データを格納し、サンプリング日時格納部１７に出力する。
サンプリング日時格納部１７は、カウンタデータ受信部２Ａの受信データが更新されたときに、現在時刻格納部１６から転送されるサンプリング時刻を取り込む。
【００３８】
カウンタ差分値格納部１９は、データ受信部２Ａと前回カウンタ値格納部３Ａとのカウンタ値の差分値を格納し、カウンタデータ比較部６Ａに出力する。
サンプリング日時差分格納部２０は、サンプリング日時格納部１７と前回サンプリング日時格納部１８との時刻データの差分からなるサンプリング経過時間を格納する。
【００３９】
基準カウンタ値格納部２２は、サンプリング日時差分格納部２０内の時間データ（比較対象）と、単位時間当りのカウンタ基準値格納部２１内のカウンタ基準値（カウンタデータ）とを乗算して基準カウンタ値を求め、この基準カウンタ値をカウンタデータとして格納する。
【００４０】
内部カウンタ累積値格納部２３は、カウンタ差分値格納部１９内の差分値データを累積し、その累積値を内部カウンタ値として格納する。
【００４１】
次に、図１に示したこの発明の実施の形態１による動作について説明する。
まず、カウンタデータ受信部２Ａは、データ計測部１から転送されてくる計量パルスカウンタ値を格納し、これと同時に、サンプリング日時格納部１７は、現在日時格納部１６から現在時刻を転送して取り込む。
【００４２】
続いて、カウンタ差分値格納部１９は、カウンタデータ受信部２Ａに格納されている計量パルスカウンタ値と、前回カウンタ値格納部３Ａに格納されている前回カウンタ値との差分値を求めて格納する。
【００４３】
また、サンプリング日時差分値格納部２０は、サンプリング日時格納部１７に格納されている日時データと、前回サンプリング日時格納部１８に格納されている日時データとの差分値を求めて格納する。
【００４４】
次に、基準カウンタ値格納部２２は、サンプリング日時差分格納部２０に格納されている日時差分データと、単位時間当りのカウンタ基準値格納部２１に格納されているカウンタ基準値とを乗算し、この乗算値を基準カウンタ値として格納する。
【００４５】
また、カウンタデータ受信部２Ａは、計量パルスカウンタ値を前回カウンタ値格納部３Ａに転送してデータ更新し、サンプリング日時格納部１７は、日時データを前回サンプリング日時格納部１８に転送してデータ更新する。
【００４６】
カウンタデータ比較部６Ａは、カウンタ差分値格納部１９内のカウンタ差分値と、基準カウンタ値格納部２２内の基準カウンタ値とを比較演算して、カウンタ差分値が基準カウンタ値よりも大きい場合には「異常」と判定し、カウンタ差分値が基準カウンタ値以下の場合には「正常」と判定する。
【００４７】
カウンタデータ比較部６Ａは、「正常」と判定されたカウンタ差分値を、内部カウンタ累積値格納部２３に格納されているカウンタ累積値に加算する。
また、集計部８Ａは、内部カウンタ累積値格納部２３に格納されているカウンタ累積値（内部カウンタ値）を一定周期毎に読み出してデータ集計する。
【００４８】
このように、前回サンプリングからの経過時間をサンプリング日時差分値として算出し、この差分値と単位時間当りのカウンタ基準値（基準パルス値）とを乗算して基準カウンタ値を求め、この基準カウンタ値と、前回サンプリング値と今回サンプリング値との差分値とを比較演算することにより、正確に異常発生を判定することができる。
【００４９】
たとえば、計量パルス数が正常であって、前回サンプリング日時「４月２０日１５時４４分」での前回カウンタ値が「１０」、ＣＰＵ部１０Ａを停止後に再開させた今回サンプリング日時「４月２０日１６時２４分」での前回カウンタ値が「９０」の場合、カウンタ差分値「８０（＝９０−１０）」は、以下のように、経過時間を考慮した基準カウンタ値と比較される。
【００５０】
すなわち、カウンタ差分値「８０」は、サンプリング日時差分値「４０分」と１分当りのカウンタ基準値「２」とを乗算した基準カウンタ値「８０（＝４０×２）」と比較される。
したがって、カウンタ差分値＝カウンタ基準値となり、「正常」と判定されるので、異常と誤判定されることはない。
【００５１】
このように、計量パルスカウンタ値をサンプリングした日時データをサンプリング日時格納部１７に格納し、前回サンプリング日時と今回サンプリング日時との時間差分値をサンプリング日時差分値格納部２０に格納し、時間差分値と単位時間当りの基準値を乗算した基準カウンタ値を基準カウンタ値格納部２２に格納し、カウンタ差分値を基準カウンタ値と比較することにより、正確な異常判定を実現することができる。
【００５２】
すなわち、ビル管理システムにおいて、従来のカウンタ差分値の単純比較方式を採用せず、カウンタ差分値をＣＰＵ部１０Ａの停止時間に応じた基準カウンタ値と比較することにより、正常な計量パルスカウント値を異常値と誤判定するのを防止することができる。
【００５３】
たとえば、プログラム入れ替え作業などによりＣＰＵ部１０Ａが長時間停止されても、長い停止時間による大きなカウンタ差分値が、長い停止時間に見合った大きな基準カウンタ値と比較されるので、計量パルスカウンタ値の異常誤判定を防止することができる。
【００５４】
また、ノイズ発生などにより、短時間で異常に多数のパルスが検出された場合には、正確に異常状態を判定することができる。
したがって、ビル管理システムにおいて、ノイズを含む異常パルスカウンタ値を確実に検出するとともに、保守時にＣＰＵ部１０Ａ（コントローラ）が停止状態から復旧した際に、大きな計量パルスカウンタ値が転送されてきても、異常と誤判定することはない。
【００５５】
さらに、図６のように、データ計測部１を含む電力量計１４とＣＰＵ部２Ａとが伝送線１５で接続されているシステムであっても同様の効果を奏することは言うまでもない。
【００５６】
実施の形態２．
なお、上記実施の形態１では、単位時間当りのカウンタ基準値を固定値としたが、単位時間当りのカウンタ基準値を時間帯別の複数のカウンタ基準値から選択可能に構成してもよい。
【００５７】
図２は単位時間当りのカウンタ基準値を選択可能にしたこの発明の実施の形態２を示すブロック図であり、前述（図１参照）と同様のものについては、同一符号を付して、または、符号の後に「Ｂ」を付して詳述を省略する。
【００５８】
図２において、２４は単位時間当りのカウンタ基準値格納部２１と関連した時間帯別の複数のカウンタ基準値格納部であり、０時台のカウンタ基準値格納部と、１時台、２時台、・・・、２２時台のカウンタ基準値格納部と、２３時台のカウンタ基準値格納部とにより構成されている。
【００５９】
図２のように、単位時間当りのカウンタ基準値を、時間帯別のカウンタ基準値２４から選択することにより、ビルの時間帯別エネルギー消費量に応じて設定された基準カウンタ値と、計量パルスカウンタ値の差分値とを比較演算することができるので、さらに高精度の計量パルスカウンタ値の異常判定処理を実現することができる。
【００６０】
実施の形態３．
なお、上記実施の形態１では、サンプリング日時格納部１７と前回サンプリング日時格納部１８との時刻データの差分（サンプリング日時差分値）が単位時間以内（実質的に「０」）の場合について考慮しなかったが、サンプリング日時差分値が「０」の場合に基準カウンタ値が「０」とならないように、従来方式と同様に基準カウンタ値を固定値に設定してもよい。
【００６１】
図３はサンプリング日時差分値が「０」の場合には基準カウンタ値を所定値に固定して「０」となるのを回避したこの発明の実施の形態３を示すブロック図であり、前述（図１参照）と同様のものについては、同一符号を付して、または、符号の後に「Ｃ」を付して詳述を省略する。
【００６２】
図３において、２５はサンプリング日時差分値格納部２０Ｃの入力側に挿入されたサンプリング日時差分値判定処理部であり、サンプリング日時差分値が「０」であるか否かを判定する。
【００６３】
サンプリング日時差分値判定処理部２５は、サンプリング日時差分値が「０」でない場合には、サンプリング日時差分値格納部２０Ｃを有効とし、サンプリング日時差分値が「０」を示す場合には、サンプリング日時差分値格納部２０Ｃを無効として、基準カウンタ値格納部２２Ｃの基準カウンタ値を所定値に固定するようになっている。
【００６４】
図３のように、サンプリング日時差分値が実質的に「０」（同一時刻に複数のサンプリングが実行された場合）を示す場合には、従来方式と同様に、計量パルスカウンタ値を所定値に固定することにより、サンプリング日時差分値が「０」となった場合でも、計量パルスカウンタ値の異常判定を実行することができる。
【００６５】
【発明の効果】
以上のように、この発明によれば、ビル設備に関連した計量パルスカウンタ値を生成するデータ計測部と、計量パルスカウンタ値をデータ処理して異常判定するためのＣＰＵ部と、ＣＰＵ部への給電をオフしてＣＰＵ部の保守作業を行うための保守用ツールとを備えたビル管理システムの計量パルスカウンタ値異常判定装置であって、ＣＰＵ部は、計量パルスカウンタ値を受信するカウンタデータ受信部と、計量パルスカウンタ値をサンプリングしたサンプリング日時を格納するサンプリング日時格納部と、計量パルスカウンタ値の前回値と今回値とのカウンタ差分値を格納するカウンタ差分値格納部と、サンプリング日時の前回値と今回値とのサンプリング日時差分値を格納するサンプリング日時差分値格納部と、単位時間当りのカウンタ基準値を格納する単位時間当りのカウンタ基準値格納部と、サンプリング日時差分値と単位時間当りのカウンタ基準値との乗算により算出された基準カウンタ値を格納する基準カウンタ値格納部と、カウンタ差分値が基準カウンタ値よりも大きい場合に異常と判定するカウンタデータ比較部とを含むので、ＣＰＵ部の長時間停止中にデータ計測部によるカウンタ値が増大しても、異常と誤判定することのないビル管理システムの計量パルスカウンタ値異常判定装置が得られる効果がある。
【００６６】
また、この発明によれば、ＣＰＵ部は、時間帯別の複数のカウンタ基準値を格納する時間帯別のカウンタ基準値格納部を含み、単位時間当りのカウンタ基準値格納部は、現在の時間帯に応じて複数のカウンタ基準値のうちの１つを選択し、単位時間当りのカウンタ基準値として設定するようにしたので、時間帯に応じた正確な異常判定を実現したビル管理システムの計量パルスカウンタ値異常判定装置が得られる効果がある。
【００６７】
また、この発明によれば、ＣＰＵ部は、サンプリング日時差分値が０か否かを判定するサンプリング日時差分値判定処理部を含み、サンプリング日時差分値判定処理部は、サンプリング日時差分値が０でない場合には、サンプリング日時差分値格納部を有効とし、サンプリング日時差分値が０を示す場合には、サンプリング日時差分値格納部を無効として、基準カウンタ値を所定値に固定するようにしたので、時間帯に応じた正確な異常判定を実現したビル管理システムの計量パルスカウンタ値異常判定装置が得られる効果がある。
【図面の簡単な説明】
【図１】  この発明の実施の形態１を示すブロック図である。
【図２】  この発明の実施の形態２を示すブロック図である。
【図３】  この発明の実施の形態３を示すブロック図である。
【図４】  従来のビル管理システムの計量パルスカウンタ値異常判定装置を概略的に示すブロック図である。
【図５】  従来のビル管理システムの計量パルスカウンタ値異常判定装置の一例を示すブロック図である。
【図６】  従来のビル管理システムの計量パルスカウンタ値異常判定装置の他の例を示すブロック図である。
【符号の説明】
１  データ計測部、２Ａ  データ受信部、３Ａ  前回カウンタ値格納部、６Ａ  カウンタデータ比較部、８Ａ  データ集計部、９  カウンタ部、１０Ａ、１０Ｂ、１０Ｃ  ＣＰＵ部、１２  直流電源、１３  保守用ツール、１６  現在日時格納部、１７  サンプリング日時格納部、１８  前回サンプリング日時格納部、１９  カウンタ差分値格納部、２０、２０Ｃ  サンプリング日時差分格納部、２１  単位時間当りのカウンタ基準値格納部、２２、２２Ｃ  基準カウンタ値格納部、２３  内部カウンタ値格納部、２４  時間帯別のカウンタ基準値格納部、２５  サンプリング日時差分値判定処理部。
【図１】
0004344503.tif 000002
【図２】
0004344503.tif 000003
【図３】
0004344503.tif 000004
【図４】
0004344503.tif 000005
【図５】
0004344503.tif 000006
【図６】
0004344503.tif 000007